(57)【要約】【課題】液体収容体に液体を充填する際に、治具により安定した状態で保持して液体を注入できる液体収容体を提供する。【解決手段】インクを収容するカートリッジ１０１は、上面１０１ａと、上面１０１ａと対向する底面１０１ｂと、上面１０１ａの一端側から底面１０１ｂ側に窪むように設けられた凹部１０１ｃと、凹部１０１ｃに接続され、上面１０１ａの延在方向であるＹ軸方向に沿って外側に突出する突出部１０１ｄと、突出部１０１ｄに、Ｙ軸方向と交差するＸ軸方向に沿って設けられた軸部材１０１ｅと、底面１０１ｂに設けられたインクを排出する排出口１０１ｆと、を備えたことを特徴とする。【選択図】図１Ｃ
2018176653.tif 000002
【特許請求の範囲】
【請求項１】
液体を収容する液体収容体であって、
上面と、前記上面と対向する底面と、
前記上面の一端側から前記底面側に窪むように設けられた凹部および段部のいずれか一方と、
前記凹部および段部のいずれか一方に接続され、前記上面の延在方向である第１方向に沿って外側に突出する突出部と、
前記突出部に、前記第１方向と交差する第２方向に沿って設けられた軸部材と、
前記底面に設けられた、前記液体を排出する排出口と、
を備えたことを特徴とする液体収容体。
【請求項２】
液体を収容する液体収容体であって、
上面と、前記上面と対向する底面と、
前記上面の一端側から前記底面側に窪むように設けられた凹部および段部のいずれか一方と、
前記凹部および段部のいずれか一方に接続され、前記上面の延在方向である第１方向に沿って外側に突出する突出部と、
前記突出部に、前記第１方向と交差する第２方向に沿って設けられた貫通孔と、
前記底面に設けられた、前記液体を排出する排出口と、
を備えたことを特徴とする液体収容体。
【請求項３】
液体を収容する液体収容体であって、
上面と、前記上面と対向する底面と、
前記上面の一端側から前記底面側に窪むように設けられた凹部および段部のいずれか一方と、
前記凹部および段部のいずれか一方に接続され、前記上面の延在方向である第１方向に沿って外側に突出するフック状の突出部と、
前記底面に設けられた、前記液体を排出する排出口と、
を備えたことを特徴とする液体収容体。
【請求項４】
請求項１から３のいずれか一項に記載の液体収容体と、
前記液体収容体を脱着可能に保持する装着部材と、
前記液体収容体に収容された液体を被記録部材に噴射する液体噴射ヘッドと、を備えたことを特徴とする液体噴射装置。
【発明の詳細な説明】
【技術分野】
【０００１】
本発明は、液体収容体及び液体噴射装置に関する。
【背景技術】
【０００２】
液体噴射ヘッドおよび液体（インク）を収容した複数の液体収容体（カートリッジ）を装着した装着部材（キャリッジ）が、被記録部材上を往復運動して液体収容体に収容された液体を被記録部材に噴射することにより印刷する液体噴射装置が知られている。液体収容体の底面には、収容された液体を排出する排出口が設けられている。液体収容体に収容された液体は、排出口から装着部材に供給され、液体噴射ヘッドにより被記録部材上に噴射される（例えば、特許文献１参照）。
【０００３】
印刷動作を行うことにより、液体収容体に収容された液体が消費され液体の残量が一定量を下回ると、液体噴射装置に設けられた表示部に液体収容体の交換指示が表示される。使用者は、交換指示に従って液体が消費された液体収容体を取り外し、交換用の液体収容体を装着部材の所定の装着部に装着する。これにより、新たに装着された液体収容体から液体が供給され、印刷動作を継続することができる。
【先行技術文献】
【特許文献】
【０００４】
【特許文献１】特開平１１−７８０４３号公報
【発明の概要】
【発明が解決しようとする課題】
【０００５】
ところで、特許文献１には記載がないが、液体収容体を製造する工場において液体収容体に液体を充填する際は、底面に設けられた排出口が上方を向くように上面を下方側にして液体収容体を平板上に配置し、液体を注入する注入器のノズルを排出口に差し込んで、液体収容体内に液体を注入することができる。しかしながら、特許文献１に記載の液体収容体は、液体収容体が固定するための部位を有していないので、上面を下方側にして液体収容体を平板上に配置し液体収容体に液体を充填する際に、液体収容体が平板上で移動したりぐらついたり倒れたりしてしまい、安定した状態で液体収容体を保持できないおそれがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る液体収容体は、液体を収容する液体収容体であって、上面と、前記上面と対向する底面と、前記上面の一端側から前記底面側に窪むように設けられた凹部および段部のいずれか一方と、前記凹部および段部のいずれか一方に接続され、前記上面の延在方向である第１方向に沿って外側に突出する突出部と、前記突出部に、前記第１方向と交差する第２方向に沿って設けられた軸部材と、前記底面に設けられた、前記液体を排出する排出口と、を備えたことを特徴とする。
【０００８】
本適用例によれば、液体収容体は、上面の一端側に設けられた凹部または段部に接続され、上面の延在方向に沿って外側に突出する突出部を備えている。そして、突出部には、上面の延在方向と交差する方向に沿って軸部材が設けられている。そのため、例えば突出部に設けられた軸部材を押さえるような治具を用いれば、液体収容体を、底面に設けられた排出口が上方を向くように上面を下方側にして、平板上に保持することができる。また、底面側に窪むように凹部または段部が設けられているので、例えば、凹部または段部において治具の先端を視認することにより、治具により軸部材が確実に押さえられていることを確認できる。これにより、液体収容体を安定した状態で平板上に保持して、排出口から液体収容体内に液体を注入することができる。
【０００９】
［適用例２］本適用例に係る液体収容体は、液体を収容する液体収容体であって、上面と、前記上面と対向する底面と、前記上面の一端側から前記底面側に窪むように設けられた凹部および段部のいずれか一方と、前記凹部および段部のいずれか一方に接続され、前記上面の延在方向である第１方向に沿って外側に突出する突出部と、前記突出部に、前記第１方向と交差する第２方向に沿って設けられた貫通孔と、前記底面に設けられた、前記液体を排出する排出口と、を備えたことを特徴とする。
【００１０】
本適用例によれば、液体収容体は、上面の一端側に設けられた凹部または段部に接続され、上面の延在方向に沿って外側に突出する突出部を備えている。そして、突出部には、上面の延在方向と交差する方向に沿って貫通孔が設けられている。そのため、例えば突出部に設けられた貫通孔に嵌合するような治具を用いれば、液体収容体を、底面に設けられた排出口が上方を向くように上面を下方側にして、平板上に保持することができる。また、底面側に窪むように凹部または段部が設けられているので、例えば、上面を下方側にして液体収容体を平板上に配置したときに、治具の先端を凹部または段部に潜らせるように配置して貫通孔に容易に嵌合させることができる。これにより、液体収容体を安定した状態で平板上に保持して、排出口から液体収容体内に液体を注入することができる。
【００１１】
［適用例３］本適用例に係る液体収容体は、液体を収容する液体収容体であって、上面と、前記上面と対向する底面と、前記上面の一端側から前記底面側に窪むように設けられた凹部および段部のいずれか一方と、前記凹部および段部のいずれか一方に接続され、前記上面の延在方向である第１方向に沿って外側に突出するフック状の突出部と、前記底面に設けられた、前記液体を排出する排出口と、を備えたことを特徴とする。
【００１２】
本適用例によれば、液体収容体は、上面の一端側に設けられた凹部または段部に接続され、上面の延在方向に沿って外側に突出するフック状の突出部を備えている。そのため、例えばフック状の突出部に係合するような治具を用いれば、液体収容体を、底面に設けられた排出口が上方を向くように上面を下方側にして、平板上に保持することができる。また、底面側に窪むように凹部または段部が設けられているので、液体収容体の形状を、フック状の突出部が上面の上方側（上面を下方側にして液体収容体を平板上に配置した状態では、上面の下方側）に突出して平板と干渉しない形状とすることができる。これにより、液体収容体を安定した状態で平板上に保持して、排出口から液体収容体内に液体を注入することができる。
【００１３】
［適用例４］本適用例に係る液体噴射装置は、上記に記載の液体収容体と、前記液体収容体を着脱可能に保持する装着部材と、前記液体収容体に収容された液体を被記録部材に噴射する液体噴射ヘッドと、を備えたことを特徴とする。
【００１４】
本適用例によれば、液体噴射装置は、液体収容体の内部に収容した液体が無くなったら液体を注入して被記録部材上に繰り返し噴射することができる。また、液体収容体が突出部を備えているので、液体収容体を装着部材に着脱する際に、装着部材への取付け方向を容易に判別できる。
【図面の簡単な説明】
【００１５】
【図１Ａ】第１実施形態に係る液体噴射装置としてのプリンターの主要構成を示す斜視図。
【図１Ｂ】第１実施形態に係る液体収容体が装着された装着部材の組立断面図。
【図１Ｃ】実施例１に係る液体収容体の斜視図。
【図１Ｄ】実施例１に係る液体収容体を各軸方向から見た図。
【図１Ｅ】実施例１に係る液体収容体を各軸方向から見た図。
【図１Ｆ】実施例１に係る液体収容体を各軸方向から見た図。
【図１Ｇ】実施例１に係る液体収容体を各軸方向から見た図。
【図１Ｈ】実施例１に係る液体収容体を各軸方向から見た図。
【図１Ｊ】実施例１に係る液体収容体を各軸方向から見た図。
【図１Ｋ】液体を注入する際の液体収容体の姿勢を示す図。
【図２Ａ】実施例２に係る液体収容体の斜視図。
【図２Ｂ】実施例２に係る液体収容体を各軸方向から見た図。
【図２Ｃ】実施例２に係る液体収容体を各軸方向から見た図。
【図２Ｄ】実施例２に係る液体収容体を各軸方向から見た図。
【図２Ｅ】実施例２に係る液体収容体を各軸方向から見た図。
【図２Ｆ】実施例２に係る液体収容体を各軸方向から見た図。
【図２Ｇ】実施例２に係る液体収容体を各軸方向から見た図。
【図３Ａ】実施例３に係る液体収容体の斜視図。
【図３Ｂ】実施例３に係る液体収容体を各軸方向から見た図。
【図３Ｃ】実施例３に係る液体収容体を各軸方向から見た図。
【図３Ｄ】実施例３に係る液体収容体を各軸方向から見た図。
【図３Ｅ】実施例３に係る液体収容体を各軸方向から見た図。
【図３Ｆ】実施例３に係る液体収容体を各軸方向から見た図。
【図３Ｇ】実施例３に係る液体収容体を各軸方向から見た図。
【図４Ａ】実施例４に係る液体収容体の斜視図。
【図４Ｂ】実施例４に係る液体収容体を各軸方向から見た図。
【図４Ｃ】実施例４に係る液体収容体を各軸方向から見た図。
【図４Ｄ】実施例４に係る液体収容体を各軸方向から見た図。
【図４Ｅ】実施例４に係る液体収容体を各軸方向から見た図。
【図４Ｆ】実施例４に係る液体収容体を各軸方向から見た図。
【図４Ｇ】実施例４に係る液体収容体を各軸方向から見た図。
【図５Ａ】実施例５に係る液体収容体の斜視図。
【図５Ｂ】実施例５に係る液体収容体を各軸方向から見た図。
【図５Ｃ】実施例５に係る液体収容体を各軸方向から見た図。
【図５Ｄ】実施例５に係る液体収容体を各軸方向から見た図。
【図５Ｅ】実施例５に係る液体収容体を各軸方向から見た図。
【図５Ｆ】実施例５に係る液体収容体を各軸方向から見た図。
【図５Ｇ】実施例５に係る液体収容体を各軸方向から見た図。
【図６Ａ】実施例６に係る液体収容体の斜視図。
【図６Ｂ】実施例６に係る液体収容体を各軸方向から見た図。
【図６Ｃ】実施例６に係る液体収容体を各軸方向から見た図。
【図６Ｄ】実施例６に係る液体収容体を各軸方向から見た図。
【図６Ｅ】実施例６に係る液体収容体を各軸方向から見た図。
【図６Ｆ】実施例６に係る液体収容体を各軸方向から見た図。
【図６Ｇ】実施例６に係る液体収容体を各軸方向から見た図。
【図７Ａ】実施例７に係る液体収容体の斜視図。
【図７Ｂ】実施例７に係る液体収容体を各軸方向から見た図。
【図７Ｃ】実施例７に係る液体収容体を各軸方向から見た図。
【図７Ｄ】実施例７に係る液体収容体を各軸方向から見た図。
【図７Ｅ】実施例７に係る液体収容体を各軸方向から見た図。
【図７Ｆ】実施例７に係る液体収容体を各軸方向から見た図。
【図７Ｇ】実施例７に係る液体収容体を各軸方向から見た図。
【図８Ａ】実施例８に係る液体収容体の斜視図。
【図８Ｂ】実施例８に係る液体収容体を各軸方向から見た図。
【図８Ｃ】実施例８に係る液体収容体を各軸方向から見た図。
【図８Ｄ】実施例８に係る液体収容体を各軸方向から見た図。
【図８Ｅ】実施例８に係る液体収容体を各軸方向から見た図。
【図８Ｆ】実施例８に係る液体収容体を各軸方向から見た図。
【図８Ｇ】実施例８に係る液体収容体を各軸方向から見た図。
【図９Ａ】実施例９に係る液体収容体の斜視図。
【図９Ｂ】実施例９に係る液体収容体を各軸方向から見た図。
【図９Ｃ】実施例９に係る液体収容体を各軸方向から見た図。
【図９Ｄ】実施例９に係る液体収容体を各軸方向から見た図。
【図９Ｅ】実施例９に係る液体収容体を各軸方向から見た図。
【図９Ｆ】実施例９に係る液体収容体を各軸方向から見た図。
【図９Ｇ】実施例９に係る液体収容体を各軸方向から見た図。
【図１０Ａ】実施例１０に係る液体収容体の斜視図。
【図１０Ｂ】実施例１０に係る液体収容体を各軸方向から見た図。
【図１０Ｃ】実施例１０に係る液体収容体を各軸方向から見た図。
【図１０Ｄ】実施例１０に係る液体収容体を各軸方向から見た図。
【図１０Ｅ】実施例１０に係る液体収容体を各軸方向から見た図。
【図１０Ｆ】実施例１０に係る液体収容体を各軸方向から見た図。
【図１０Ｇ】実施例１０に係る液体収容体を各軸方向から見た図。
【図１１Ａ】実施例１１に係る液体収容体の斜視図。
【図１１Ｂ】実施例１１に係る液体収容体を各軸方向から見た図。
【図１１Ｃ】実施例１１に係る液体収容体を各軸方向から見た図。
【図１１Ｄ】実施例１１に係る液体収容体を各軸方向から見た図。
【図１１Ｅ】実施例１１に係る液体収容体を各軸方向から見た図。
【図１１Ｆ】実施例１１に係る液体収容体を各軸方向から見た図。
【図１１Ｇ】実施例１１に係る液体収容体を各軸方向から見た図。
【図１２Ａ】実施例１２に係る液体収容体の斜視図。
【図１２Ｂ】実施例１２に係る液体収容体を各軸方向から見た図。
【図１２Ｃ】実施例１２に係る液体収容体を各軸方向から見た図。
【図１２Ｄ】実施例１２に係る液体収容体を各軸方向から見た図。
【図１２Ｅ】実施例１２に係る液体収容体を各軸方向から見た図。
【図１２Ｆ】実施例１２に係る液体収容体を各軸方向から見た図。
【図１２Ｇ】実施例１２に係る液体収容体を各軸方向から見た図。
【図１３Ａ】実施例１３に係る液体収容体の斜視図。
【図１３Ｂ】実施例１３に係る液体収容体を各軸方向から見た図。
【図１３Ｃ】実施例１３に係る液体収容体を各軸方向から見た図。
【図１３Ｄ】実施例１３に係る液体収容体を各軸方向から見た図。
【図１３Ｅ】実施例１３に係る液体収容体を各軸方向から見た図。
【図１３Ｆ】実施例１３に係る液体収容体を各軸方向から見た図。
【図１３Ｇ】実施例１３に係る液体収容体を各軸方向から見た図。
【図１４Ａ】実施例１４に係る液体収容体の斜視図。
【図１４Ｂ】実施例１４に係る液体収容体を各軸方向から見た図。
【図１４Ｃ】実施例１４に係る液体収容体を各軸方向から見た図。
【図１４Ｄ】実施例１４に係る液体収容体を各軸方向から見た図。
【図１４Ｅ】実施例１４に係る液体収容体を各軸方向から見た図。
【図１４Ｆ】実施例１４に係る液体収容体を各軸方向から見た図。
【図１４Ｇ】実施例１４に係る液体収容体を各軸方向から見た図。
【図１５Ａ】実施例１５に係る液体収容体の斜視図。
【図１５Ｂ】実施例１５に係る液体収容体を各軸方向から見た図。
【図１５Ｃ】実施例１５に係る液体収容体を各軸方向から見た図。
【図１５Ｄ】実施例１５に係る液体収容体を各軸方向から見た図。
【図１５Ｅ】実施例１５に係る液体収容体を各軸方向から見た図。
【図１５Ｆ】実施例１５に係る液体収容体を各軸方向から見た図。
【図１５Ｇ】実施例１５に係る液体収容体を各軸方向から見た図。
【図１６Ａ】実施例１６に係る液体収容体の斜視図。
【図１６Ｂ】実施例１６に係る液体収容体を各軸方向から見た図。
【図１６Ｃ】実施例１６に係る液体収容体を各軸方向から見た図。
【図１６Ｄ】実施例１６に係る液体収容体を各軸方向から見た図。
【図１６Ｅ】実施例１６に係る液体収容体を各軸方向から見た図。
【図１６Ｆ】実施例１６に係る液体収容体を各軸方向から見た図。
【図１６Ｇ】実施例１６に係る液体収容体を各軸方向から見た図。
【図１７Ａ】実施例１７に係る液体収容体の斜視図。
【図１７Ｂ】実施例１７に係る液体収容体を各軸方向から見た図。
【図１７Ｃ】実施例１７に係る液体収容体を各軸方向から見た図。
【図１７Ｄ】実施例１７に係る液体収容体を各軸方向から見た図。
【図１７Ｅ】実施例１７に係る液体収容体を各軸方向から見た図。
【図１７Ｆ】実施例１７に係る液体収容体を各軸方向から見た図。
【図１７Ｇ】実施例１７に係る液体収容体を各軸方向から見た図。
【図１８Ａ】実施例１８に係る液体収容体の斜視図。
【図１８Ｂ】実施例１８に係る液体収容体を各軸方向から見た図。
【図１８Ｃ】実施例１８に係る液体収容体を各軸方向から見た図。
【図１８Ｄ】実施例１８に係る液体収容体を各軸方向から見た図。
【図１８Ｅ】実施例１８に係る液体収容体を各軸方向から見た図。
【図１８Ｆ】実施例１８に係る液体収容体を各軸方向から見た図。
【図１８Ｇ】実施例１８に係る液体収容体を各軸方向から見た図。
【図１９Ａ】実施例１９に係る液体収容体の斜視図。
【図１９Ｂ】実施例１９に係る液体収容体を各軸方向から見た図。
【図１９Ｃ】実施例１９に係る液体収容体を各軸方向から見た図。
【図１９Ｄ】実施例１９に係る液体収容体を各軸方向から見た図。
【図１９Ｅ】実施例１９に係る液体収容体を各軸方向から見た図。
【図１９Ｆ】実施例１９に係る液体収容体を各軸方向から見た図。
【図１９Ｇ】実施例１９に係る液体収容体を各軸方向から見た図。
【図２０Ａ】実施例２０に係る液体収容体の斜視図。
【図２０Ｂ】実施例２０に係る液体収容体を各軸方向から見た図。
【図２０Ｃ】実施例２０に係る液体収容体を各軸方向から見た図。
【図２０Ｄ】実施例２０に係る液体収容体を各軸方向から見た図。
【図２０Ｅ】実施例２０に係る液体収容体を各軸方向から見た図。
【図２０Ｆ】実施例２０に係る液体収容体を各軸方向から見た図。
【図２０Ｇ】実施例２０に係る液体収容体を各軸方向から見た図。
【図２１Ａ】実施例２１に係る液体収容体の斜視図。
【図２１Ｂ】実施例２１に係る液体収容体を各軸方向から見た図。
【図２１Ｃ】実施例２１に係る液体収容体を各軸方向から見た図。
【図２１Ｄ】実施例２１に係る液体収容体を各軸方向から見た図。
【図２１Ｅ】実施例２１に係る液体収容体を各軸方向から見た図。
【図２１Ｆ】実施例２１に係る液体収容体を各軸方向から見た図。
【図２１Ｇ】実施例２１に係る液体収容体を各軸方向から見た図。
【図２２Ａ】実施例２２に係る液体収容体の斜視図。
【図２２Ｂ】実施例２２に係る液体収容体を各軸方向から見た図。
【図２２Ｃ】実施例２２に係る液体収容体を各軸方向から見た図。
【図２２Ｄ】実施例２２に係る液体収容体を各軸方向から見た図。
【図２２Ｅ】実施例２２に係る液体収容体を各軸方向から見た図。
【図２２Ｆ】実施例２２に係る液体収容体を各軸方向から見た図。
【図２２Ｇ】実施例２２に係る液体収容体を各軸方向から見た図。
【図２３Ａ】実施例２３に係る液体収容体の斜視図。
【図２３Ｂ】実施例２３に係る液体収容体を各軸方向から見た図。
【図２３Ｃ】実施例２３に係る液体収容体を各軸方向から見た図。
【図２３Ｄ】実施例２３に係る液体収容体を各軸方向から見た図。
【図２３Ｅ】実施例２３に係る液体収容体を各軸方向から見た図。
【図２３Ｆ】実施例２３に係る液体収容体を各軸方向から見た図。
【図２３Ｇ】実施例２３に係る液体収容体を各軸方向から見た図。
【図２４Ａ】実施例２４に係る液体収容体の斜視図。
【図２４Ｂ】実施例２４に係る液体収容体を各軸方向から見た図。
【図２４Ｃ】実施例２４に係る液体収容体を各軸方向から見た図。
【図２４Ｄ】実施例２４に係る液体収容体を各軸方向から見た図。
【図２４Ｅ】実施例２４に係る液体収容体を各軸方向から見た図。
【図２４Ｆ】実施例２４に係る液体収容体を各軸方向から見た図。
【図２４Ｇ】実施例２４に係る液体収容体を各軸方向から見た図。
【図２５Ａ】実施例２５に係る液体収容体の斜視図。
【図２５Ｂ】実施例２５に係る液体収容体を各軸方向から見た図。
【図２５Ｃ】実施例２５に係る液体収容体を各軸方向から見た図。
【図２５Ｄ】実施例２５に係る液体収容体を各軸方向から見た図。
【図２５Ｅ】実施例２５に係る液体収容体を各軸方向から見た図。
【図２５Ｆ】実施例２５に係る液体収容体を各軸方向から見た図。
【図２５Ｇ】実施例２５に係る液体収容体を各軸方向から見た図。
【図２６Ａ】実施例２６に係る液体収容体の斜視図。
【図２６Ｂ】実施例２６に係る液体収容体を各軸方向から見た図。
【図２６Ｃ】実施例２６に係る液体収容体を各軸方向から見た図。
【図２６Ｄ】実施例２６に係る液体収容体を各軸方向から見た図。
【図２６Ｅ】実施例２６に係る液体収容体を各軸方向から見た図。
【図２６Ｆ】実施例２６に係る液体収容体を各軸方向から見た図。
【図２６Ｇ】実施例２６に係る液体収容体を各軸方向から見た図。
【図２７Ａ】実施例２７に係る液体収容体の斜視図。
【図２７Ｂ】実施例２７に係る液体収容体を各軸方向から見た図。
【図２７Ｃ】実施例２７に係る液体収容体を各軸方向から見た図。
【図２７Ｄ】実施例２７に係る液体収容体を各軸方向から見た図。
【図２７Ｅ】実施例２７に係る液体収容体を各軸方向から見た図。
【図２７Ｆ】実施例２７に係る液体収容体を各軸方向から見た図。
【図２７Ｇ】実施例２７に係る液体収容体を各軸方向から見た図。
【図２８Ａ】実施例２８に係る液体収容体の斜視図。
【図２８Ｂ】実施例２８に係る液体収容体を各軸方向から見た図。
【図２８Ｃ】実施例２８に係る液体収容体を各軸方向から見た図。
【図２８Ｄ】実施例２８に係る液体収容体を各軸方向から見た図。
【図２８Ｅ】実施例２８に係る液体収容体を各軸方向から見た図。
【図２８Ｆ】実施例２８に係る液体収容体を各軸方向から見た図。
【図２８Ｇ】実施例２８に係る液体収容体を各軸方向から見た図。
【図２９Ａ】実施例２９に係る液体収容体の斜視図。
【図２９Ｂ】実施例２９に係る液体収容体を各軸方向から見た図。
【図２９Ｃ】実施例２９に係る液体収容体を各軸方向から見た図。
【図２９Ｄ】実施例２９に係る液体収容体を各軸方向から見た図。
【図２９Ｅ】実施例２９に係る液体収容体を各軸方向から見た図。
【図２９Ｆ】実施例２９に係る液体収容体を各軸方向から見た図。
【図２９Ｇ】実施例２９に係る液体収容体を各軸方向から見た図。
【発明を実施するための形態】
【００１６】
以下、本発明の実施形態について、図面を参照して説明する。なお、以下の各図においては、各層や各部材を認識可能な程度の大きさにするため、各層や各部材の尺度を実際とは異ならせしめている。また、液体噴射装置の一例であるインクジェットプリンター（以下プリンターと呼ぶ）を例に各実施形態を説明する。
【００１７】
（第１実施形態）
［プリンターの構成］
図１Ａは、第１実施形態に係る液体噴射装置としてのプリンターの主要構成を示す斜視図である。図１Ｂは、第１実施形態に係る液体収容体が装着された装着部材の組立断面図である。図１Ａおよび図１Ｂには、相互に直行する座標軸であるＸＹＺ軸が示されている。本実施形態では、第２方向としてのＸ軸と、第１方向としてのＹ軸と、によって規定される水平な平面（ＸＹ平面）にプリンター１を配置した状態が、プリンター１の使用状態である。ＸＹ平面にプリンター１を配置したときのプリンター１の姿勢を、プリンター１の使用姿勢と呼ぶ。
【００１８】
Ｚ軸は、ＸＹ平面に直行する軸であり、プリンター１の使用状態において、Ｚ軸に沿った方向が鉛直方向となる。そして、プリンター１の使用状態では、図１Ａおよび図１Ｂにおいて、−Ｚ方向が鉛直下方向である。なお、ＸＹＺ軸のそれぞれにおいて、矢印の向きが＋（正）方向を示し、矢印の向きとは反対の向きが−（負）の方向を示している。
【００１９】
まず、第１実施形態に係るプリンター１の要部の概略構成について図１Ａを用いて説明する。プリンター１は、記録部１０と、駆動部２０と、制御部３０とを備えている。記録部１０は、液体収容体としてのカートリッジ１０１を装着する装着部材としてのキャリッジ１１と、液体噴射ヘッド１２とを備えており、被記録部材としての記録媒体Ｐに印刷動作を行う。
【００２０】
カートリッジ１０１には、液体としてのインクが収容されている。カートリッジ１０１はキャリッジ１１に装着され、カートリッジ１０１から液体噴射ヘッド１２にインクが供給される。液体噴射ヘッド１２は、キャリッジ１１に搭載されている。液体噴射ヘッド１２は、後述する制御部３０の制御により、記録媒体Ｐに対してインクを噴射する。また、制御部３０は、噴射されたインクの噴射量から、カートリッジ１０１に収容されているインクの残量を記録する。
【００２１】
駆動部２０は、キャリッジ１１を主走査方向Ｄ１であるＸ方向に沿って往復運動させるキャリッジ駆動部２２と、記録媒体Ｐを副走査方向Ｄ２であるＹ方向に沿って送る紙送り駆動部２１と、を有している。制御部３０は、図示しないケーブルにより駆動部２０と接続されており、紙送り駆動部２１とキャリッジ駆動部２２とに搭載されたモーターなどを制御している。
【００２２】
紙送り駆動部２１は、制御部３０の制御により、記録媒体Ｐを副走査方向Ｄ２に搬送する。キャリッジ駆動部２２は、制御部３０の制御により、キャリッジ１１を主走査方向Ｄ１に沿って移動させる。キャリッジ１１が主走査方向Ｄ１に沿って移動しながら、副走査方向Ｄ２に搬送される記録媒体Ｐに対して液体噴射ヘッド１２からインクを噴射することで、記録媒体Ｐへの印刷がなされる。プリンター１では、この印刷動作を連続して行うことにより、記録媒体Ｐに写真などの印刷を行うことができる。
【００２３】
［記録部の構成］
次に、記録部１０の構成について図１Ｂを用いて説明する。記録部１０は、キャリッジ１１と、キャリッジ１１の記録媒体Ｐ側（−Ｚ方向側）に配置された液体噴射ヘッド１２とを有している。カートリッジ１０１は、キャリッジ１１の＋Ｚ方向に開口した開口部から所定の位置に装着されて、図示しないフックなどによりキャリッジ１１に着脱可能に保持されている。
【００２４】
カートリッジ１０１には、カートリッジ１０１の内部に収容されたインクを排出する排出口１０１ｆが設けられている。キャリッジ１１には、カートリッジ１０１を装着した際に排出口１０１ｆと対向するように、排出口受け部１１ａが配置されている。カートリッジ１０１がキャリッジ１１に装着されると、排出口１０１ｆと排出口受け部１１ａとが対向配置され、カートリッジ１０１内のインクが液体噴射ヘッド１２へ供給される。
【００２５】
キャリッジ１１は、インクの色ごとに指定されたカートリッジ１０１を装着するため、各インクの色に対応して複数の装着部を有している。適合する色のインクが収容されたカートリッジ１０１をキャリッジ１１における指定の装着部に装着し、液体噴射ヘッド１２を介して記録媒体Ｐの所定の位置に噴射することにより、プリンター１が記録媒体Ｐにカラー印刷を行うことができる。
【００２６】
印刷動作によりインクが消費されて、制御部３０に記録されているカートリッジ１０１内のインク残量が一定量を下回ると、プリンター１が備える図示しない表示部により、カートリッジ１０１の交換を促される。カラー印刷を行った際には、カラー画像を構成する色ごとにインクの消費量が異なるため、色ごとの消費量の大小により交換を要するカートリッジ１０１が変わってくる。そのため、使用者（一般ユーザー）は、プリンター１の図示しない表示部に表示された交換を要するインクの色を確認して、該当する色のカートリッジ１０１と交換する必要がある。
【００２７】
カートリッジ１０１を交換する際には、まず、表示部に表示された交換を要するカートリッジ１０１のインクの色を把握し、適合する色のインクが収容された交換用のカートリッジ１０１を用意する。インクが消費されたカートリッジ１０１を取り外した後、交換用のカートリッジ１０１のインクの排出口１０１ｆに装着された図示しないキャップを取り外す。そして、交換用のカートリッジ１０１を、キャリッジ１１における色ごとに指定された装着部に注意して装着する。
【００２８】
ここで、仮に、キャリッジ１１における指定された装着部に、指定された色と異なる色のインクを収容したカートリッジ１０１を間違えて取付けた場合、液体噴射ヘッド１２から噴射されるインクの色と、制御部３０から指示されたインクの色とが合致しないため、写真などの画像の印刷色が変わってしまい正常にカラー印刷ができなくなる。従って、キャリッジ１１にカートリッジ１０１を装着する際には、使用者は、カートリッジ１０１に収容されているインクの色を正確に判別する必要がある。
【００２９】
また、キャリッジ１１に対するカートリッジ１０１の装着方向が指定されているため、キャリッジ１１にカートリッジ１０１を装着する際は、カートリッジ１０１の装着方向（−Ｙ方向側と＋Ｙ方向側と）を判別して間違えることなく装着する必要がある。後述するが、本実施形態では、カートリッジ１０１の上面１０１ａの一端側（−Ｙ方向側）に設けられた凹部１０１ｃと突出部１０１ｄとにより、キャリッジ１１に対するカートリッジ１０１の装着方向を容易に判別することが可能である。
【００３０】
［カートリッジの構成］
次に、第１実施形態に係るカートリッジの構成について説明する。本実施形態に係るカートリッジでは、基本構成が共通であって、形状を様々に異ならせた実施例が用意されている。以下に、第１実施形態に係る各実施例について図面を参照して説明する。
【００３１】
（実施例１）
実施例１に係る液体収容体としてのカートリッジ１０１について図１Ｃ〜図１Ｊを用いて説明する。図１Ｃは、実施例１に係る液体収容体の斜視図である。図１Ｄ〜図１Ｊは、実施例１に係る液体収容体を各軸方向から見た図である。図１Ｄは−Ｘ方向から見た図であり、図１Ｅは＋Ｚ方向から見た図であり、図１Ｆは−Ｚ方向から見た図であり、図１Ｇは＋Ｙ方向から見た図であり、図１Ｈは−Ｙ方向から見た図であり、図１Ｊは＋Ｘ方向から見た図である。また、図中に示した破線は、カートリッジ１０１の形状を理解しやすくするための隠れ線である。
【００３２】
図１Ｃ〜図１Ｊに示すように、カートリッジ１０１は、略直方体形状である。カートリッジ１０１は、長方形に構成された＋Ｚ方向側に位置する上面１０１ａと、−Ｚ方向側に位置し上面１０１ａと対向する底面１０１ｂと、を有している。そして、カートリッジ１０１は、上面１０１ａおよび底面１０１ｂと交差する面として、＋Ｘ方向側に位置する＋Ｘ側面と、−Ｘ方向側に位置する−Ｘ側面と、＋Ｙ方向側に位置する＋Ｙ側面と、−Ｙ方向側に位置する−Ｙ側面とを有している。さらに、底面１０１ｂと−Ｙ側面との間には、斜面部が形成されて、キャリッジ１１（図１Ｂ参照）にカートリッジ１０１を装着し易くしている。
【００３３】
カートリッジ１０１の底面１０１ｂには、−Ｚ方向に開口した排出口１０１ｆが配置されている。排出口１０１ｆは、キャリッジ１１の排出口受け部１１ａ（図１Ｂ参照）と対向配置され、カートリッジ１０１に収容されたインクを排出する機能を有している。
【００３４】
カートリッジ１０１は、上面１０１ａの一端側（−Ｙ方向側）から底面１０１ｂ側（−Ｚ方向側）に窪むように設けられた凹部１０１ｃを有している。そして、カートリッジ１０１は、凹部１０１ｃに接続され、上面１０１ａの延在方向であるＹ軸方向に沿って外側（−Ｙ方向側）に突出する突出部１０１ｄを有している。凹部１０１ｃおよび突出部１０１ｄは、上面１０１ａと交差し互いに対向する＋Ｘ側面および−Ｘ側面の一部を構成している。突出部１０１ｄには、Ｙ軸方向と交差するＸ軸方向に沿って１本の軸部材１０１ｅが設けられている。
【００３５】
カートリッジ１０１の上面１０１ａの一端側（−Ｙ方向側）に凹部１０１ｃと突出部１０１ｄとが設けられているので、使用者は、キャリッジ１１に対するカートリッジ１０１の装着方向（−Ｙ方向側と＋Ｙ方向側と）を容易に判別できる。
【００３６】
また、カートリッジ１０１の上面１０１ａの一端側に凹部１０１ｃ、突出部１０１ｄ、および軸部材１０１ｅが設けられているので、カートリッジ１０１を製造する工場においてカートリッジ１０１にインクを充填する際に、治具によりカートリッジ１０１を安定した状態で保持することができる。
【００３７】
以下に、液体収容体としてのカートリッジ１０１に液体としてのインクを注入する方法について、図１Ｋを用いて説明する。図１Ｋは、液体を注入する際の液体収容体の姿勢を示す図である。図１Ｋには、上下方向（＋Ｚ方向と−Ｚ方向と）が反転した状態で平板５０上に配置されたカートリッジ１０１を示している。カートリッジ１０１の底面１０１ｂに設けられた排出口１０１ｆからインクを注入して、カートリッジ１０１内にインクを充填することができる。
【００３８】
カートリッジ１０１にインクを注入する際には、図１Ｋに示すように、排出口１０１ｆが上方を向くように、上面１０１ａを下方側にして、カートリッジ１０１を平板５０上に配置する。カートリッジ１０１の上面１０１ａに設けられた凹部１０１ｃおよび突出部１０１ｄも、平板５０側に配置される。例えば、Ｌ字状の先端部を有する治具５２を用いて、突出部１０１ｄに設けられた軸部材１０１ｅを押さえるように保持する。そして、インクを注入する注入器のノズル５４を排出口１０１ｆに差し込んで、カートリッジ１０１内にインクを注入する。
【００３９】
治具５２で軸部材１０１ｅを押さえることにより、図１Ｋに示す＋Ｙ方向と、図示しない−Ｘ方向および＋Ｘ方向とにおけるカートリッジ１０１の移動が規制される。また、−Ｚ方向におけるカートリッジ１０１の一端側（突出部１０１ｄ）の移動が規制される。これにより、カートリッジ１０１が平板５０上で移動したりぐらついたり倒れたりすることを抑止して、カートリッジ１０１を安定した状態で平板５０上に保持することができる。
【００４０】
また、突出部１０１ｄに接して上面１０１ａから底面１０１ｂ側に窪むように凹部１０１ｃが設けられているので、凹部１０１ｃにおいて、カートリッジ１０１の＋Ｘ側面および−Ｘ側面から治具５２の先端部を視認できる。そのため、治具５２により軸部材１０１ｅが確実に押さえられていることを確認できる。これらの結果、カートリッジ１０１を安定した状態で保持して、排出口１０１ｆからカートリッジ１０１内にインクを注入することができる。
【００４１】
図１Ｄ、図１Ｆ、図１Ｈ、および図１Ｊに示すように、カートリッジ１０１の底面１０１ｂと−Ｙ側面との間の斜面部には、回路基板１０１ｇが設けられている。回路基板１０１ｇには、複数の端子と記憶装置（図示しない）とが設けられている。カートリッジ１０１がキャリッジ１１に装着された状態において、回路基板１０１ｇに設けられた記憶装置とプリンター１の制御部３０（図１Ａ参照）との間で種々の情報が授受される。
【００４２】
（実施例２）
次に、実施例２に係る液体収容体としてのカートリッジ１０２について図２Ａ〜図２Ｇを用いて説明する。図２Ａは、実施例２に係る液体収容体の斜視図である。図２Ｂ〜図２Ｇは、実施例２に係る液体収容体を各軸方向から見た図である。図２Ｂは−Ｘ方向から見た図であり、図２Ｃは＋Ｚ方向から見た図であり、図２Ｄは−Ｚ方向から見た図であり、図２Ｅは＋Ｙ方向から見た図であり、図２Ｆは−Ｙ方向から見た図であり、図２Ｇは＋Ｘ方向から見た図である。
【００４３】
実施例２に係るカートリッジ１０２は、実施例１に係るカートリッジ１０１に対して、突出部の形状と、突出部に一対の軸部材が設けられている点と、上面にマークが設けられている点とが異なる。ここでは、実施例２に係るカートリッジ１０２について、実施例１に係るカートリッジ１０１との相違点を説明し、実施例１に係るカートリッジ１０１と同じ構成要素については同一の符号を付してその説明を省略する。
【００４４】
図２Ａ〜図２Ｇに示すように、カートリッジ１０２は、上面１０１ａの−Ｙ方向に凹部１０１ｃと、凹部１０１ｃに接続された突出部１０２ｄとを有している。突出部１０２ｄには、＋Ｘ側面および−Ｘ側面から互いに対向するように突出する一対の軸部材１０２ａが設けられている。実施例２に係るカートリッジ１０２では、カートリッジ１０２にインクを注入する際に、治具５２（図１Ｋ参照）を用いて突出部１０２ｄに設けられた軸部材１０２ａを押さえるように保持することで、実施例１に係るカートリッジ１０１と同様に、カートリッジ１０２を安定した状態で平板５０（図１Ｋ参照）上に保持することができる。
【００４５】
また、図２Ａおよび図２Ｃに示すように、上面１０１ａには、円弧状のマーク１０２ｂと、円形のマーク１０２ｃとが設けられている。円弧状のマーク１０２ｂと円形のマーク１０２ｃとは、上面１０１ａにおけるどの位置に配置されていてもよい。例えば、円弧状のマーク１０２ｂと円形のマーク１０２ｃとを、インクの色毎に異なる位置に配置すれば、カートリッジ１０２に収容されているインクの色の判別をより容易に行うことができる。これにより、使用者が指定された色と異なる色のインクを収容したカートリッジ１０２を間違えて取付けてしまうことを抑止できる。また、カートリッジ１０２を製造する工場においてカートリッジ１０２にインクを充填する際に、指定と異なる色のインクを誤って注入してしまうことを抑止できる。
【００４６】
（実施例３）
次に、実施例３に係る液体収容体としてのカートリッジ１０３について図３Ａ〜図３Ｇを用いて説明する。図３Ａは、実施例３に係る液体収容体の斜視図である。図３Ｂ〜図３Ｇは、実施例３に係る液体収容体を各軸方向から見た図である。図３Ｂは−Ｘ方向から見た図であり、図３Ｃは＋Ｚ方向から見た図であり、図３Ｄは−Ｚ方向から見た図であり、図３Ｅは＋Ｙ方向から見た図であり、図３Ｆは−Ｙ方向から見た図であり、図３Ｇは＋Ｘ方向から見た図である。
【００４７】
実施例３に係るカートリッジ１０３は、実施例１に係るカートリッジ１０１に対して、突出部の形状が異なる。実施例３に係るカートリッジ１０３について、実施例１に係るカートリッジ１０１との相違点を説明し、実施例１に係るカートリッジ１０１と同じ構成要素については同一の符号を付してその説明を省略する。
【００４８】
図３Ａ〜図３Ｇに示すように、カートリッジ１０３は、上面１０１ａの−Ｙ方向に凹部１０１ｃと、凹部１０１ｃに接続された突出部１０３ａとを有している。突出部１０３ａの＋Ｘ方向側および−Ｘ方向側面から見た形状は、カートリッジ１０１の突出部１０１ｄの形状と異なる。突出部１０３ａには、１本の軸部材１０１ｅが設けられている。実施例３に係るカートリッジ１０３においても、上記実施例と同様の効果が得られる。
【００４９】
（実施例４）
次に、実施例４に係る液体収容体としてのカートリッジ１０４について図４Ａ〜図４Ｇを用いて説明する。図４Ａは、実施例４に係る液体収容体の斜視図である。図４Ｂ〜図４Ｇは、実施例４に係る液体収容体を各軸方向から見た図である。図４Ｂは−Ｘ方向から見た図であり、図４Ｃは＋Ｚ方向から見た図であり、図４Ｄは−Ｚ方向から見た図であり、図４Ｅは＋Ｙ方向から見た図であり、図４Ｆは−Ｙ方向から見た図であり、図４Ｇは＋Ｘ方向から見た図である。
【００５０】
実施例４に係る液体収容体としてのカートリッジ１０４は、実施例２に係るカートリッジ１０２に対して、突出部の形状が異なる。実施例４に係るカートリッジ１０４について、上記実施例との相違点を説明し、上記実施例と同じ構成要素については同一の符号を付してその説明を省略する。
【００５１】
図４Ａ〜図４Ｇに示すように、カートリッジ１０４は、上面１０１ａの−Ｙ方向に凹部１０１ｃと、凹部１０１ｃに接続された突出部１０４ａとを有している。突出部１０４ａには、＋Ｘ側面および−Ｘ側面から互いに対向するように突出する一対の軸部材１０２ａが設けられている。実施例４に係るカートリッジ１０４においても、上記実施例と同様の効果が得られる。
【００５２】
（実施例５）
次に、実施例５に係る液体収容体としてのカートリッジ１０５について図５Ａ〜図５Ｇを用いて説明する。図５Ａは、実施例５に係る液体収容体の斜視図である。図５Ｂ〜図５Ｇは、実施例５に係る液体収容体を各軸方向から見た図である。図５Ｂは−Ｘ方向から見た図であり、図５Ｃは＋Ｚ方向から見た図であり、図５Ｄは−Ｚ方向から見た図であり、図５Ｅは＋Ｙ方向から見た図であり、図５Ｆは−Ｙ方向から見た図であり、図５Ｇは＋Ｘ方向から見た図である。
【００５３】
実施例５に係る液体収容体としてのカートリッジ１０５は、上記実施例に対して、凹部の形状と、突出部の形状とが異なる。実施例５に係るカートリッジ１０５について、上記実施例との相違点を説明し、上記実施例と同じ構成要素については同一の符号を付してその説明を省略する。
【００５４】
図５Ａ〜図５Ｇに示すように、カートリッジ１０５は、上面１０１ａの−Ｙ方向に凹部１０５ａと、凹部１０５ａに接続された突出部１０５ｂとを有している。凹部１０５ａは、斜面となっている。突出部１０５ｂには、１本の軸部材１０１ｅが設けられている。実施例５に係るカートリッジ１０５においても、上記実施例と同様の効果が得られる。
【００５５】
（実施例６）
次に、実施例６に係る液体収容体としてのカートリッジ１０６について図６Ａ〜図６Ｇを用いて説明する。図６Ａは、実施例６に係る液体収容体の斜視図である。図６Ｂ〜図６Ｇは、実施例６に係る液体収容体を各軸方向から見た図である。図６Ｂは−Ｘ方向から見た図であり、図６Ｃは＋Ｚ方向から見た図であり、図６Ｄは−Ｚ方向から見た図であり、図６Ｅは＋Ｙ方向から見た図であり、図６Ｆは−Ｙ方向から見た図であり、図６Ｇは＋Ｘ方向から見た図である。
【００５６】
実施例６に係る液体収容体としてのカートリッジ１０６は、実施例５に係るカートリッジ１０５に対して、凹部の形状と、突出部の形状と、突出部に一対の軸部材が設けられている点と、上面にマークが設けられている点とが異なる。実施例６に係るカートリッジ１０６について、上記実施例との相違点を説明し、上記実施例と同じ構成要素については同一の符号を付してその説明を省略する。
【００５７】
図６Ａ〜図６Ｇに示すように、カートリッジ１０６は、上面１０１ａの−Ｙ方向に凹部１０６ａと、凹部１０６ａに接続された突出部１０６ｂとを有している。凹部１０６ａは、凹部１０５ａとは逆向きの斜面となっている。突出部１０６ｂには、＋Ｘ側面および−Ｘ側面から互いに対向するように突出する一対の軸部材１０２ａが設けられている。図６Ａおよび図６Ｃに示すように、カートリッジ１０６の上面１０１ａには、三角形のマーク１０６ｃが設けられている。マーク１０６ｃは、上面１０１ａにおけるどの位置に配置されていてもよい。実施例６に係るカートリッジ１０６においても、上記実施例と同様の効果が得られる。
【００５８】
（実施例７）
次に、実施例７に係る液体収容体としてのカートリッジ１０７について図７Ａ〜図７Ｇを用いて説明する。図７Ａは、実施例７に係る液体収容体の斜視図である。図７Ｂ〜図７Ｇは、実施例７に係る液体収容体を各軸方向から見た図である。図７Ｂは−Ｘ方向から見た図であり、図７Ｃは＋Ｚ方向から見た図であり、図７Ｄは−Ｚ方向から見た図であり、図７Ｅは＋Ｙ方向から見た図であり、図７Ｆは−Ｙ方向から見た図であり、図７Ｇは＋Ｘ方向から見た図である。
【００５９】
実施例７に係る液体収容体としてのカートリッジ１０７は、実施例１に係るカートリッジ１０１に対して、凹部の形状と、突出部の形状と、上面にマークが設けられている点とが異なる。実施例７に係るカートリッジ１０７について、上記実施例との相違点を説明し、上記実施例と同じ構成要素については同一の符号を付してその説明を省略する。
【００６０】
図７Ａ〜図７Ｇに示すように、カートリッジ１０７は、上面１０１ａの−Ｙ方向に凹部１０７ａと、凹部１０７ａに接続された突出部１０７ｂとを有している。突出部１０７ｂには、１本の軸部材１０１ｅが設けられている。図７Ａおよび図７Ｃに示すように、カートリッジ１０７の上面１０１ａには、円形のマーク１０７ｃが設けられている。マーク１０７ｃは、上面１０１ａにおけるどの位置に配置されていてもよい。実施例７に係るカートリッジ１０７においても、上記実施例と同様の効果が得られる。
【００６１】
（実施例８）
次に、実施例８に係る液体収容体としてのカートリッジ１０８について図８Ａ〜図８Ｇを用いて説明する。図８Ａは、実施例８に係る液体収容体の斜視図である。図８Ｂ〜図８Ｇは、実施例８に係る液体収容体を各軸方向から見た図である。図８Ｂは−Ｘ方向から見た図であり、図８Ｃは＋Ｚ方向から見た図であり、図８Ｄは−Ｚ方向から見た図であり、図８Ｅは＋Ｙ方向から見た図であり、図８Ｆは−Ｙ方向から見た図であり、図８Ｇは＋Ｘ方向から見た図である。
【００６２】
実施例８に係る液体収容体としてのカートリッジ１０８は、実施例７に係るカートリッジ１０７に対して、突出部の形状と、突出部に一対の軸部材が設けられている点と、上面にマークが設けられていない点とが異なる。実施例８に係るカートリッジ１０８について、上記実施例との相違点を説明し、上記実施例と同じ構成要素については同一の符号を付してその説明を省略する。
【００６３】
図８Ａ〜図８Ｇに示すように、カートリッジ１０８は、上面１０１ａの−Ｙ方向に凹部１０７ａと、凹部１０７ａに接続された突出部１０８ａとを有している。突出部１０８ａには、＋Ｘ側面および−Ｘ側面から互いに対向するように突出する一対の軸部材１０２ａが設けられている。実施例８に係るカートリッジ１０８においても、上記実施例と同様の効果が得られる。
【００６４】
（実施例９）
次に、実施例９に係る液体収容体としてのカートリッジ１０９について図９Ａ〜図９Ｇを用いて説明する。図９Ａは、実施例９に係る液体収容体の斜視図である。図９Ｂ〜図９Ｇは、実施例９に係る液体収容体を各軸方向から見た図である。図９Ｂは−Ｘ方向から見た図であり、図９Ｃは＋Ｚ方向から見た図であり、図９Ｄは−Ｚ方向から見た図であり、図９Ｅは＋Ｙ方向から見た図であり、図９Ｆは−Ｙ方向から見た図であり、図９Ｇは＋Ｘ方向から見た図である。
【００６５】
実施例９に係る液体収容体としてのカートリッジ１０９は、実施例１に係るカートリッジ１０１に対して、凹部の形状と、突出部の形状とが異なる。実施例９に係るカートリッジ１０９について、上記実施例との相違点を説明し、上記実施例と同じ構成要素については同一の符号を付してその説明を省略する。
【００６６】
図９Ａ〜図９Ｇに示すように、カートリッジ１０９は、上面１０１ａの−Ｙ方向に凹部１０９ａと、凹部１０９ａに接続された突出部１０９ｂとを有している。突出部１０９ｂには、１本の軸部材１０１ｅが設けられている。実施例９に係るカートリッジ１０９においても、上記実施例と同様の効果が得られる。
【００６７】
（実施例１０）
次に、実施例１０に係る液体収容体としてのカートリッジ１１０について図１０Ａ〜図１０Ｇを用いて説明する。図１０Ａは、実施例１０に係る液体収容体の斜視図である。図１０Ｂ〜図１０Ｇは、実施例１０に係る液体収容体を各軸方向から見た図である。図１０Ｂは−Ｘ方向から見た図であり、図１０Ｃは＋Ｚ方向から見た図であり、図１０Ｄは−Ｚ方向から見た図であり、図１０Ｅは＋Ｙ方向から見た図であり、図１０Ｆは−Ｙ方向から見た図であり、図１０Ｇは＋Ｘ方向から見た図である。
【００６８】
実施例１０に係る液体収容体としてのカートリッジ１１０は、実施例９に係るカートリッジ１０９に対して、突出部の形状と、突出部に一対の軸部材が設けられている点とが異なる。実施例１０に係るカートリッジ１１０について、上記実施例との相違点を説明し、上記実施例と同じ構成要素については同一の符号を付してその説明を省略する。
【００６９】
図１０Ａ〜図１０Ｇに示すように、カートリッジ１１０は、上面１０１ａの−Ｙ方向に凹部１０９ａと、凹部１０９ａに接続された突出部１１０ａとを有している。突出部１１０ａには、＋Ｘ側面および−Ｘ側面から互いに対向するように突出する一対の軸部材１０２ａが設けられている。実施例１０に係るカートリッジ１１０においても、上記実施例と同様の効果が得られる。
【００７０】
（実施例１１）
次に、実施例１１に係る液体収容体としてのカートリッジ１１１について図１１Ａ〜図１１Ｇを用いて説明する。図１１Ａは、実施例１１に係る液体収容体の斜視図である。図１１Ｂ〜図１１Ｇは、実施例１１に係る液体収容体を各軸方向から見た図である。図１１Ｂは−Ｘ方向から見た図であり、図１１Ｃは＋Ｚ方向から見た図であり、図１１Ｄは−Ｚ方向から見た図であり、図１１Ｅは＋Ｙ方向から見た図であり、図１１Ｆは−Ｙ方向から見た図であり、図１１Ｇは＋Ｘ方向から見た図である。
【００７１】
実施例１１に係る液体収容体としてのカートリッジ１１１は、実施例１に係るカートリッジ１０１に対して、凹部の形状と、突出部の形状とが異なる。実施例１１に係るカートリッジ１１１について、上記実施例との相違点を説明し、上記実施例と同じ構成要素については同一の符号を付してその説明を省略する。
【００７２】
図１１Ａ〜図１１Ｇに示すように、カートリッジ１１１は、上面１０１ａの−Ｙ方向に凹部１１１ａと、凹部１１１ａに接続された突出部１１１ｂとを有している。突出部１１１ｂには、１本の軸部材１０１ｅが設けられている。実施例１１に係るカートリッジ１１１においても、上記実施例と同様の効果が得られる。
【００７３】
（実施例１２）
次に、実施例１２に係る液体収容体としてのカートリッジ１１２について図１２Ａ〜図１２Ｇを用いて説明する。図１２Ａは、実施例１２に係る液体収容体の斜視図である。図１２Ｂ〜図１２Ｇは、実施例１２に係る液体収容体を各軸方向から見た図である。図１２Ｂは−Ｘ方向から見た図であり、図１２Ｃは＋Ｚ方向から見た図であり、図１２Ｄは−Ｚ方向から見た図であり、図１２Ｅは＋Ｙ方向から見た図であり、図１２Ｆは−Ｙ方向から見た図であり、図１２Ｇは＋Ｘ方向から見た図である。
【００７４】
実施例１２に係る液体収容体としてのカートリッジ１１２は、実施例１１に係るカートリッジ１１１に対して、突出部の形状と、突出部に一対の軸部材が設けられている点とが異なる。実施例１２に係るカートリッジ１１２について、上記実施例との相違点を説明し、上記実施例と同じ構成要素については同一の符号を付してその説明を省略する。
【００７５】
図１２Ａ〜図１２Ｇに示すように、カートリッジ１１２は、上面１０１ａの−Ｙ方向に凹部１１１ａと、凹部１１１ａに接続された突出部１１２ａとを有している。突出部１１２ａには、＋Ｘ側面および−Ｘ側面から互いに対向するように突出する一対の軸部材１０２ａが設けられている。実施例１２に係るカートリッジ１１２においても、上記実施例と同様の効果が得られる。
【００７６】
（実施例１３）
次に、実施例１３に係る液体収容体としてのカートリッジ１１３について図１３Ａ〜図１３Ｇを用いて説明する。図１３Ａは、実施例１３に係る液体収容体の斜視図である。図１３Ｂ〜図１３Ｇは、実施例１３に係る液体収容体を各軸方向から見た図である。図１３Ｂは−Ｘ方向から見た図であり、図１３Ｃは＋Ｚ方向から見た図であり、図１３Ｄは−Ｚ方向から見た図であり、図１３Ｅは＋Ｙ方向から見た図であり、図１３Ｆは−Ｙ方向から見た図であり、図１３Ｇは＋Ｘ方向から見た図である。
【００７７】
実施例１３に係る液体収容体としてのカートリッジ１１３は、実施例１に係るカートリッジ１０１に対して、凹部の代わりに段部を備えている点と、突出部の形状とが異なる。実施例１３に係るカートリッジ１１３について、上記実施例との相違点を説明し、上記実施例と同じ構成要素については同一の符号を付してその説明を省略する。
【００７８】
図１３Ａ〜図１３Ｇに示すように、カートリッジ１１３は、上面１０１ａの−Ｙ方向に段部１１３ａと、段部１１３ａに接続された突出部１１３ｂとを有している。突出部１１３ｂには、＋Ｘ側面および−Ｘ側面から互いに対向するように突出する一対の軸部材１０２ａが設けられている。実施例１３に係るカートリッジ１１３においても、上記実施例と同様の効果が得られる。
【００７９】
（実施例１４）
次に、実施例１４に係る液体収容体としてのカートリッジ１１４について図１４Ａ〜図１４Ｇを用いて説明する。図１４Ａは、実施例１４に係る液体収容体の斜視図である。図１４Ｂ〜図１４Ｇは、実施例１４に係る液体収容体を各軸方向から見た図である。図１４Ｂは−Ｘ方向から見た図であり、図１４Ｃは＋Ｚ方向から見た図であり、図１４Ｄは−Ｚ方向から見た図であり、図１４Ｅは＋Ｙ方向から見た図であり、図１４Ｆは−Ｙ方向から見た図であり、図１４Ｇは＋Ｘ方向から見た図である。
【００８０】
実施例１４に係る液体収容体としてのカートリッジ１１４は、実施例１３に係るカートリッジ１１３に対して、突出部の形状と、突出部に１本の軸部材が設けられている点とが異なる。実施例１４に係るカートリッジ１１４について、上記実施例との相違点を説明し、上記実施例と同じ構成要素については同一の符号を付してその説明を省略する。
【００８１】
図１４Ａ〜図１４Ｇに示すように、カートリッジ１１４は、上面１０１ａの−Ｙ方向に段部１１３ａと、段部１１３ａに接続された突出部１１４ａとを有している。突出部１１４ａには、１本の軸部材１０１ｅが設けられている。実施例１４に係るカートリッジ１１４においても、上記実施例と同様の効果が得られる。
【００８２】
（実施例１５）
次に、実施例１５に係る液体収容体としてのカートリッジ１１５について図１５Ａ〜図１５Ｇを用いて説明する。図１５Ａは、実施例１５に係る液体収容体の斜視図である。図１５Ｂ〜図１５Ｇは、実施例１５に係る液体収容体を各軸方向から見た図である。図１５Ｂは−Ｘ方向から見た図であり、図１５Ｃは＋Ｚ方向から見た図であり、図１５Ｄは−Ｚ方向から見た図であり、図１５Ｅは＋Ｙ方向から見た図であり、図１５Ｆは−Ｙ方向から見た図であり、図１５Ｇは＋Ｘ方向から見た図である。
【００８３】
実施例１５に係る液体収容体としてのカートリッジ１１５は、実施例１４に係るカートリッジ１１４に対して、突出部の形状と、上面に長方形のマークが設けられている点とが異なる。実施例１５に係るカートリッジ１１５について、上記実施例との相違点を説明し、上記実施例と同じ構成要素については同一の符号を付してその説明を省略する。
【００８４】
図１５Ａ〜図１５Ｇに示すように、カートリッジ１１５は、上面１０１ａの−Ｙ方向に段部１１３ａと、段部１１３ａに接続された突出部１１５ａとを有している。突出部１１５ａには、１本の軸部材１０１ｅが設けられている。図１５Ａおよび図１５Ｃに示すように、カートリッジ１１５の上面１０１ａには、長方形のマーク１１５ｂが設けられている。実施例１５に係るカートリッジ１１５においても、上記実施例と同様の効果が得られる。
【００８５】
（実施例１６）
次に、実施例１６に係る液体収容体としてのカートリッジ１１６について図１６Ａ〜図１６Ｇを用いて説明する。図１６Ａは、実施例１６に係る液体収容体の斜視図である。図１６Ｂ〜図１６Ｇは、実施例１６に係る液体収容体を各軸方向から見た図である。図１６Ｂは−Ｘ方向から見た図であり、図１６Ｃは＋Ｚ方向から見た図であり、図１６Ｄは−Ｚ方向から見た図であり、図１６Ｅは＋Ｙ方向から見た図であり、図１６Ｆは−Ｙ方向から見た図であり、図１６Ｇは＋Ｘ方向から見た図である。
【００８６】
実施例１６に係る液体収容体としてのカートリッジ１１６は、実施例１５に係るカートリッジ１１５に対して、突出部の形状と、突出部に一対の軸部材が設けられている点とが異なる。実施例１６に係るカートリッジ１１６について、上記実施例との相違点を説明し、上記実施例と同じ構成要素については同一の符号を付してその説明を省略する。
【００８７】
図１６Ａ〜図１６Ｇに示すように、カートリッジ１１６は、上面１０１ａの−Ｙ方向に段部１１３ａと、段部１１３ａに接続された突出部１１６ａとを有している。突出部１１６ａには、＋Ｘ側面および−Ｘ側面から互いに対向するように突出する一対の軸部材１０２ａが設けられている。図１６Ａおよび図１６Ｃに示すように、カートリッジ１１６の上面１０１ａには、長方形のマーク１１５ｂが設けられている。マーク１１５ｂは、上面１０１ａにおけるどの位置に配置されていてもよい。実施例１６に係るカートリッジ１１６においても、上記実施例と同様の効果が得られる。
【００８８】
（実施例１７）
次に、実施例１７に係る液体収容体としてのカートリッジ１１７について図１７Ａ〜図１７Ｇを用いて説明する。図１７Ａは、実施例１７に係る液体収容体の斜視図である。図１７Ｂ〜図１７Ｇは、実施例１７に係る液体収容体を各軸方向から見た図である。図１７Ｂは−Ｘ方向から見た図であり、図１７Ｃは＋Ｚ方向から見た図であり、図１７Ｄは−Ｚ方向から見た図であり、図１７Ｅは＋Ｙ方向から見た図であり、図１７Ｆは−Ｙ方向から見た図であり、図１７Ｇは＋Ｘ方向から見た図である。
【００８９】
実施例１７に係る液体収容体としてのカートリッジ１１７は、実施例１５に係るカートリッジ１１５に対して、突出部の形状と、上面に円形のマークが設けられている点とが異なる。実施例１７に係るカートリッジ１１７について、上記実施例との相違点を説明し、上記実施例と同じ構成要素については同一の符号を付してその説明を省略する。
【００９０】
図１７Ａ〜図１７Ｇに示すように、カートリッジ１１７は、上面１０１ａの−Ｙ方向に段部１１３ａと、段部１１３ａに接続された突出部１１７ａとを有している。突出部１１７ａには、１本の軸部材１０１ｅが設けられている。図１７Ａおよび図１７Ｃに示すように、カートリッジ１１７の上面１０１ａには、２つの円形のマーク１１７ｂ，１１７ｃが設けられている。マーク１１７ｂ，１１７ｃは、上面１０１ａにおけるどの位置に配置されていてもよい。実施例１７に係るカートリッジ１１７においても、上記実施例と同様の効果が得られる。
【００９１】
（実施例１８）
次に、実施例１８に係る液体収容体としてのカートリッジ１１８について図１８Ａ〜図１８Ｇを用いて説明する。図１８Ａは、実施例１８に係る液体収容体の斜視図である。図１８Ｂ〜図１８Ｇは、実施例１８に係る液体収容体を各軸方向から見た図である。図１８Ｂは−Ｘ方向から見た図であり、図１８Ｃは＋Ｚ方向から見た図であり、図１８Ｄは−Ｚ方向から見た図であり、図１８Ｅは＋Ｙ方向から見た図であり、図１８Ｆは−Ｙ方向から見た図であり、図１８Ｇは＋Ｘ方向から見た図である。
【００９２】
実施例１８に係る液体収容体としてのカートリッジ１１８、実施例１６に係るカートリッジ１１６に対して、突出部の形状と、上面に長方形のマークが設けられていない点とが異なる。実施例１８に係るカートリッジ１１８について、上記実施例との相違点を説明し、上記実施例と同じ構成要素については同一の符号を付してその説明を省略する。
【００９３】
図１８Ａ〜図１８Ｇに示すように、カートリッジ１１８は、上面１０１ａの−Ｙ方向に段部１１３ａと、段部１１３ａに接続された突出部１１８ａとを有している。突出部１１８ａには、＋Ｘ側面および−Ｘ側面から互いに対向するように突出する一対の軸部材１０２ａが設けられている。実施例１８に係るカートリッジ１１８においても、上記実施例と同様の効果が得られる。
【００９４】
（実施例１９）
次に、実施例１９に係る液体収容体としてのカートリッジ１１９について図１９Ａ〜図１９Ｇを用いて説明する。図１９Ａは、実施例１９に係る液体収容体の斜視図である。図１９Ｂ〜図１９Ｇは、実施例１９に係る液体収容体を各軸方向から見た図である。図１９Ｂは−Ｘ方向から見た図であり、図１９Ｃは＋Ｚ方向から見た図であり、図１９Ｄは−Ｚ方向から見た図であり、図１９Ｅは＋Ｙ方向から見た図であり、図１９Ｆは−Ｙ方向から見た図であり、図１９Ｇは＋Ｘ方向から見た図である。
【００９５】
実施例１９に係る液体収容体としてのカートリッジ１１９は、実施例１３に係るカートリッジ１１３に対して、段部の形状と、突出部の形状と、突出部に設けられた軸部材の形状と、上面にマークが設けられている点とが異なる。実施例１９に係るカートリッジ１１９について、上記実施例との相違点を説明し、上記実施例と同じ構成要素については同一の符号を付してその説明を省略する。
【００９６】
図１９Ａ〜図１９Ｇに示すように、カートリッジ１１９は、上面１０１ａの−Ｙ方向に段部１１９ａと、段部１１９ａに接続されＸ軸方向の中央部に配置された突出部１１９ｂとを有している。突出部１１９ｂには、＋Ｘ方向および−Ｘ方向に突出する一対の軸部材１１９ｃが設けられている。図１９Ａおよび図１９Ｃに示すように、カートリッジ１１９の上面１０１ａには、長方形のマーク１１９ｄが設けられている。マーク１１９ｄは、上面１０１ａにおけるどの位置に配置されていてもよい。実施例１９に係るカートリッジ１１９においても、上記実施例と同様の効果が得られる。
【００９７】
（実施例２０）
次に、実施例２０に係る液体収容体としてのカートリッジ１２０について図２０Ａ〜図２０Ｇを用いて説明する。図２０Ａは、実施例２０に係る液体収容体の斜視図である。図２０Ｂ〜図２０Ｇは、実施例２０に係る液体収容体を各軸方向から見た図である。図２０Ｂは−Ｘ方向から見た図であり、図２０Ｃは＋Ｚ方向から見た図であり、図２０Ｄは−Ｚ方向から見た図であり、図２０Ｅは＋Ｙ方向から見た図であり、図２０Ｆは−Ｙ方向から見た図であり、図２０Ｇは＋Ｘ方向から見た図である。
【００９８】
実施例２０に係る液体収容体としてのカートリッジ１２０は、実施例１９に係るカートリッジ１１９に対して、突出部の形状と、上面にマークが設けられていない点とが異なる。実施例２０に係るカートリッジ１２０について、上記実施例との相違点を説明し、上記実施例と同じ構成要素については同一の符号を付してその説明を省略する。
【００９９】
図２０Ａ〜図２０Ｇに示すように、カートリッジ１２０は、上面１０１ａの−Ｙ方向に段部１１９ａと、段部１１９ａに接続されＸ軸方向の中央部に配置された突出部１２０ａとを有している。突出部１２０ａには、＋Ｘ方向および−Ｘ方向に突出する一対の軸部材１１９ｃが設けられている。実施例２０に係るカートリッジ１２０においても、上記実施例と同様の効果が得られる。
【０１００】
（実施例２１）
次に、実施例２１に係る液体収容体としてのカートリッジ１２１について図２１Ａ〜図２１Ｇを用いて説明する。図２１Ａは、実施例２１に係る液体収容体の斜視図である。図２１Ｂ〜図２１Ｇは、実施例２１に係る液体収容体を各軸方向から見た図である。図２１Ｂは−Ｘ方向から見た図であり、図２１Ｃは＋Ｚ方向から見た図であり、図２１Ｄは−Ｚ方向から見た図であり、図２１Ｅは＋Ｙ方向から見た図であり、図２１Ｆは−Ｙ方向から見た図であり、図２１Ｇは＋Ｘ方向から見た図である。
【０１０１】
実施例２１に係る液体収容体としてのカートリッジ１２１は、実施例１９に係るカートリッジ１１９に対して、突出部の形状と、上面に三角形のマークが設けられている点とが異なる。実施例２１に係るカートリッジ１２１について、上記実施例との相違点を説明し、上記実施例と同じ構成要素については同一の符号を付してその説明を省略する。
【０１０２】
図２１Ａ〜図２１Ｇに示すように、カートリッジ１２１は、上面１０１ａの−Ｙ方向に段部１１９ａと、段部１１９ａに接続されＸ軸方向の中央部に配置された突出部１２１ａとを有している。突出部１２１ａには、＋Ｘ方向および−Ｘ方向に突出する一対の軸部材１１９ｃが設けられている。カートリッジ１２１の上面１０１ａには、２つの三角形のマーク１２１ｂ，１２１ｃが設けられている。マーク１２１ｂ，１２１ｃは、上面１０１ａにおけるどの位置に配置されていてもよい。実施例２１に係るカートリッジ１２１においても、上記実施例と同様の効果が得られる。
【０１０３】
（実施例２２（第１実施形態の変形例））
上記第１実施形態の各実施例では、凹部および段部のいずれか一方に接続された突出部に軸部材が設けられたカートリッジを説明したが、第１実施形態に係るカートリッジの構成は上記の実施例に限定されるものではない。例えば、図２２Ａ〜図２２Ｇに示す実施例２２（変形例）のように、突出部を有していない構成としてもよい。
【０１０４】
図２２Ａは、実施例２２に係る液体収容体の斜視図である。図２２Ｂ〜図２２Ｇは、実施例２２に係る液体収容体を各軸方向から見た図である。図２２Ｂは−Ｘ方向から見た図であり、図２２Ｃは＋Ｚ方向から見た図であり、図２２Ｄは−Ｚ方向から見た図であり、図２２Ｅは＋Ｙ方向から見た図であり、図２２Ｆは−Ｙ方向から見た図であり、図２２Ｇは＋Ｘ方向から見た図である。
【０１０５】
図２２Ａ〜図２２Ｇに示すように、カートリッジ１２２は、上面１０１ａの−Ｙ方向に段部１１３ａを有している。段部１１３ａの−Ｙ方向側の角部には、１本の軸部材１０１ｅが設けられている。実施例２２に係るカートリッジ１２２においても、上記実施例と同様の効果が得られる。
【０１０６】
（第２実施形態）
［カートリッジの構成］
次に、第２実施形態に係る液体収容体としてのカートリッジについて、各実施例を説明する。第２実施形態に係るカートリッジは、第１実施形態に係るカートリッジに対して、突出部に貫通孔が設けられ、軸部材を有していない点が異なる。
【０１０７】
（実施例２３）
実施例２３に係る液体収容体としてのカートリッジ１２３について図２３Ａ〜図２３Ｇを用いて説明する。図２３Ａは、実施例２３に係る液体収容体の斜視図である。図２３Ｂ〜図２３Ｇは、実施例２３に係る液体収容体を各軸方向から見た図である。図２３Ｂは−Ｘ方向から見た図であり、図２３Ｃは＋Ｚ方向から見た図であり、図２３Ｄは−Ｚ方向から見た図であり、図２３Ｅは＋Ｙ方向から見た図であり、図２３Ｆは−Ｙ方向から見た図であり、図２３Ｇは＋Ｘ方向から見た図である。
【０１０８】
実施例２３に係る液体収容体としてのカートリッジ１２３は、実施例１９に係るカートリッジ１１９に対して、突出部の形状と、突出部に貫通孔が設けられ軸部材を有していない点とが異なる。実施例２３に係るカートリッジ１２３について、上記実施例との相違点を説明し、上記実施例と同じ構成要素については同一の符号を付してその説明を省略する。
【０１０９】
図２３Ａ〜図２３Ｇに示すように、カートリッジ１２３は、上面１０１ａの−Ｙ方向に段部１１９ａと、段部１１９ａに接続されＸ軸方向の中央部に配置された突出部１２３ａとを有している。突出部１２３ａには、Ｙ軸方向と交差するＸ軸方向に沿って貫通孔１２３ｂが設けられている。図２３Ａおよび図２３Ｃに示すように、カートリッジ１２３の上面１０１ａには、長方形のマーク１１９ｄが設けられている。マーク１１９ｄは、上面１０１ａにおけるどの位置に配置されていてもよい。
【０１１０】
実施例２３に係るカートリッジ１２３にインクを充填する際には、例えば、突出部１２３ａに設けられた貫通孔１２３ｂに嵌合するような治具を用いれば、底面１０１ｂに設けられた排出口１０１ｆが上方を向くように上面１０１ａを下方側にして、平板５０上にカートリッジ１２３を保持することができる。また、底面１０１ｂ側に窪むように段部１１９ａが設けられているので、例えば、上面１０１ａを下方側にしてカートリッジ１２３を平板５０（図１Ｋ参照）上に配置したときに、治具（図示しない）の先端を段部１１９ａに潜らせるように配置して貫通孔に容易に嵌合させることができる。したがって、実施例２３に係るカートリッジ１２３においても、上記実施例と同様の効果が得られる。
【０１１１】
（実施例２４）
次に、実施例２４に係る液体収容体としてのカートリッジ１２４について図２４Ａ〜図２４Ｇを用いて説明する。図２４Ａは、実施例２４に係る液体収容体の斜視図である。図２４Ｂ〜図２４Ｇは、実施例２４に係る液体収容体を各軸方向から見た図である。図２４Ｂは−Ｘ方向から見た図であり、図２４Ｃは＋Ｚ方向から見た図であり、図２４Ｄは−Ｚ方向から見た図であり、図２４Ｅは＋Ｙ方向から見た図であり、図２４Ｆは−Ｙ方向から見た図であり、図２４Ｇは＋Ｘ方向から見た図である。
【０１１２】
実施例２４に係る液体収容体としてのカートリッジ１２４は、実施例２１に係るカートリッジ１２１に対して、突出部に貫通孔が設けられ軸部材を有していない点と、上面にマークを有していない点とが異なる。実施例２４に係るカートリッジ１２４について、上記実施例との相違点を説明し、上記実施例と同じ構成要素については同一の符号を付してその説明を省略する。
【０１１３】
図２４Ａ〜図２４Ｇに示すように、カートリッジ１２４は、上面１０１ａの−Ｙ方向に段部１１９ａと、段部１１９ａに接続されＸ軸方向の中央部に配置された突出部１２１ａとを有している。突出部１２１ａには、Ｙ軸方向と交差するＸ軸方向に沿って貫通孔１２３ｂが設けられている。実施例２４に係るカートリッジ１２４においても、上記実施例と同様の効果が得られる。
【０１１４】
（実施例２５）
次に、実施例２５に係る液体収容体としてのカートリッジ１２５について図２５Ａ〜図２５Ｇを用いて説明する。図２５Ａは、実施例２５に係る液体収容体の斜視図である。図２５Ｂ〜図２５Ｇは、実施例２５に係る液体収容体を各軸方向から見た図である。図２５Ｂは−Ｘ方向から見た図であり、図２５Ｃは＋Ｚ方向から見た図であり、図２５Ｄは−Ｚ方向から見た図であり、図２５Ｅは＋Ｙ方向から見た図であり、図２５Ｆは−Ｙ方向から見た図であり、図２５Ｇは＋Ｘ方向から見た図である。
【０１１５】
実施例２５に係る液体収容体としてのカートリッジ１２５は、実施例２４に係るカートリッジ１２４に対して、突出部の形状が異なる。実施例２５に係るカートリッジ１２５について、上記実施例との相違点を説明し、上記実施例と同じ構成要素については同一の符号を付してその説明を省略する。
【０１１６】
図２５Ａ〜図２５Ｇに示すように、カートリッジ１２５は、上面１０１ａの−Ｙ方向に段部１１９ａと、段部１１９ａに接続されＸ軸方向の中央部に配置された突出部１２５ａとを有している。突出部１２５ａには、Ｙ軸方向と交差するＸ軸方向に沿って貫通孔１２３ｂが設けられている。実施例２５に係るカートリッジ１２５においても、上記実施例と同様の効果が得られる。
【０１１７】
（第３実施形態）
［カートリッジの構成］
次に、第３実施形態に係る液体収容体としてのカートリッジについて、各実施例を説明する。第３実施形態に係るカートリッジは、上記実施形態に係るカートリッジに対して、フック状の突出部が設けられている点が異なる。
【０１１８】
（実施例２６）
実施例２６に係る液体収容体としてのカートリッジ１２６について図２６Ａ〜図２６Ｇを用いて説明する。図２６Ａは、実施例２６に係る液体収容体の斜視図である。図２６Ｂ〜図２６Ｇは、実施例２６に係る液体収容体を各軸方向から見た図である。図２６Ｂは−Ｘ方向から見た図であり、図２６Ｃは＋Ｚ方向から見た図であり、図２６Ｄは−Ｚ方向から見た図であり、図２６Ｅは＋Ｙ方向から見た図であり、図２６Ｆは−Ｙ方向から見た図であり、図２６Ｇは＋Ｘ方向から見た図である。
【０１１９】
実施例２６に係る液体収容体としてのカートリッジ１２６は、実施例１３に係るカートリッジ１１３に対して、フック状の突出部が設けられている点と、上面に三角形のマークが設けられている点とが異なる。実施例２６に係るカートリッジ１２６について、上記実施例との相違点を説明し、上記実施例と同じ構成要素については同一の符号を付してその説明を省略する。
【０１２０】
図２６Ａ〜図２６Ｇに示すように、カートリッジ１２６は、上面１０１ａの−Ｙ方向に段部１１３ａと、段部１１３ａに接続されＸ軸方向の中央部に配置されたフック状の突出部１２６ａとを有している。図２６Ａおよび図２６Ｃに示すように、カートリッジ１２６の上面１０１ａには、三角形のマーク１２６ｂが設けられている。マーク１２６ｂは、上面１０１ａにおけるどの位置に配置されていてもよい。
【０１２１】
実施例２６に係るカートリッジ１２６にインクを充填する際には、例えば、フック状の突出部１２６ａに係合するような治具を用いれば、底面１０１ｂに設けられた排出口１０１ｆが上方を向くように上面１０１ａを下方側にして、平板５０上にカートリッジ１２６を保持することができる。
【０１２２】
また、底面１０１ｂ側に窪むように設けられた段部１１３ａにフック状の突出部１２６ａが接続されているので、カートリッジ１２６の形状を、フック状の突出部１２６ａが平板５０と干渉しない形状とすることができる。したがって、実施例２６に係るカートリッジ１２６においても、上記実施例と同様の効果が得られる。
【０１２３】
（実施例２７）
次に、実施例２７に係る液体収容体としてのカートリッジ１２７について図２７Ａ〜図２７Ｇを用いて説明する。図２７Ａは、実施例２７に係る液体収容体の斜視図である。図２７Ｂ〜図２７Ｇは、実施例２７に係る液体収容体を各軸方向から見た図である。図２７Ｂは−Ｘ方向から見た図であり、図２７Ｃは＋Ｚ方向から見た図であり、図２７Ｄは−Ｚ方向から見た図であり、図２７Ｅは＋Ｙ方向から見た図であり、図２７Ｆは−Ｙ方向から見た図であり、図２７Ｇは＋Ｘ方向から見た図である。
【０１２４】
実施例２７に係る液体収容体としてのカートリッジ１２７は、実施例２６に係るカートリッジ１２６に対して、フック状の突出部が一対設けられている点と、上面にマークが設けられていない点とが異なる。実施例２７に係るカートリッジ１２７について、上記実施例との相違点を説明し、上記実施例と同じ構成要素については同一の符号を付してその説明を省略する。
【０１２５】
図２７Ａ〜図２７Ｇに示すように、カートリッジ１２７は、上面１０１ａの−Ｙ方向に段部１１３ａと、段部１１３ａに接続されＸ軸方向の２箇所に配置された１対のフック状の突出部１２７ａとを有している。実施例２７に係るカートリッジ１２７においても、上記実施例と同様の効果が得られる。
【０１２６】
（実施例２８）
次に、実施例２８に係る液体収容体としてのカートリッジ１２８について図２８Ａ〜図２８Ｇを用いて説明する。図２８Ａは、実施例２８に係る液体収容体の斜視図である。図２８Ｂ〜図２８Ｇは、実施例２８に係る液体収容体を各軸方向から見た図である。図２８Ｂは−Ｘ方向から見た図であり、図２８Ｃは＋Ｚ方向から見た図であり、図２８Ｄは−Ｚ方向から見た図であり、図２８Ｅは＋Ｙ方向から見た図であり、図２８Ｆは−Ｙ方向から見た図であり、図２８Ｇは＋Ｘ方向から見た図である。
【０１２７】
実施例２８に係る液体収容体としてのカートリッジ１２８は、実施例２７に係るカートリッジ１２７に対して、一対のフック状の突出部がＸ軸方向における外側に設けられている点が異なる。実施例２８に係るカートリッジ１２８について、上記実施例との相違点を説明し、上記実施例と同じ構成要素については同一の符号を付してその説明を省略する。
【０１２８】
図２８Ａ〜図２８Ｇに示すように、カートリッジ１２８は、上面１０１ａの−Ｙ方向に段部１１３ａと、段部１１３ａに接続されＸ軸方向の両外側の２箇所に配置された１対のフック状の突出部１２８ａとを有している。実施例２８に係るカートリッジ１２８においても、上記実施例と同様の効果が得られる。
【０１２９】
（実施例２９）
次に、実施例２９に係る液体収容体としてのカートリッジ１２９について図２９Ａ〜図２９Ｇを用いて説明する。図２９Ａは、実施例２９に係る液体収容体の斜視図である。図２９Ｂ〜図２９Ｇは、実施例２９に係る液体収容体を各軸方向から見た図である。図２９Ｂは−Ｘ方向から見た図であり、図２９Ｃは＋Ｚ方向から見た図であり、図２９Ｄは−Ｚ方向から見た図であり、図２９Ｅは＋Ｙ方向から見た図であり、図２９Ｆは−Ｙ方向から見た図であり、図２９Ｇは＋Ｘ方向から見た図である。
【０１３０】
実施例２９に係る液体収容体としてのカートリッジ１２９は、実施例２８に係るカートリッジ１２８に対して、上面に円形のマークが設けられている点が異なる。実施例２９に係るカートリッジ１２９について、上記実施例との相違点を説明し、上記実施例と同じ構成要素については同一の符号を付してその説明を省略する。
【０１３１】
図２９Ａ〜図２９Ｇに示すように、カートリッジ１２９は、上面１０１ａの−Ｙ方向に段部１１３ａと、段部１１３ａに接続されＸ軸方向の両外側の２箇所に配置された１対のフック状の突出部１２８ａとを有している。図２９Ａおよび図２９Ｃに示すように、カートリッジ１２９の上面１０１ａには、円形のマーク１２９ａが設けられている。マーク１２９ａは、上面１０１ａにおけるどの位置に配置されていてもよい。実施例２９に係るカートリッジ１２９においても、上記実施例と同様の効果が得られる。
【０１３２】
以上、本発明の実施形態および各実施例について説明したが、本発明では、キャリッジ１１の構成や、工場においてインクを充填する際に用いる治具の形状等に応じて、上記実施例の中から適した構成を選択することができる。また、キャリッジ１１に装着する異なる色のインクのカートリッジのセットについて、上記実施例の中から異なる実施例のカートリッジを組み合わせた構成としてもよい。異なる実施例のカートリッジを組み合わせれば、例えば、凹部と段部との違い、突出部の形状や位置の違い、軸部材の違い、等により、カートリッジに収容されているインクの色の判別をより容易に行うことができる。これにより、使用者が指定された色と異なる色のインクを収容したカートリッジを間違えて取付けてしまうことや、工場においてカートリッジに指定と異なる色のインクを誤って注入してしまうことを効果的に抑止できる。
【符号の説明】
【０１３３】
１…プリンター（液体噴射装置）、１１…キャリッジ（装着部材）、１２…液体噴射ヘッド、１０１，１０２，１０３，１０４，１０５，１０６，１０７，１０８，１０９，１１０，１１１，１１２，１１３，１１４，１１５，１１６，１１７，１１８，１１９，１２０，１２１，１２２，１２３，１２４，１２５，１２６，１２７，１２８，１２９…カートリッジ（液体収容体）、１０１ａ…上面、１０１ｂ…底面、１０１ｃ，１０５ａ，１０６ａ，１０７ａ，１０９ａ，１１１ａ…凹部、１０１ｄ，１０２ｄ，１０３ａ，１０４ａ，１０５ｂ，１０６ｂ，１０７ｂ，１０８ａ，１０９ｂ，１１０ａ，１１１ｂ，１１２ａ，１１３ｂ，１１４ａ，１１５ａ，１１６ａ，１１７ａ，１１８ａ，１１９ｂ，１２０ａ，１２１ａ，１２３ａ，１２５ａ…突出部、１０１ｅ，１０２ａ，１１９ｃ…軸部材、１０１ｆ…排出口、１１３ａ，１１９ａ…段部、１２３ｂ…貫通孔、１２６ａ，１２７ａ，１２８ａ…フック状の突出部。
【図１Ａ】
2018176653.tif 000003
【図１Ｂ】
2018176653.tif 000004
【図１Ｃ】
2018176653.tif 000005
【図１Ｄ】
2018176653.tif 000006
【図１Ｅ】
2018176653.tif 000007
【図１Ｆ】
2018176653.tif 000008
【図１Ｇ】
2018176653.tif 000009
【図１Ｈ】
2018176653.tif 000010
【図１Ｊ】
2018176653.tif 000011
【図１Ｋ】
2018176653.tif 000012
【図２Ａ】
2018176653.tif 000013
【図２Ｂ】
2018176653.tif 000014
【図２Ｃ】
2018176653.tif 000015
【図２Ｄ】
2018176653.tif 000016
【図２Ｅ】
2018176653.tif 000017
【図２Ｆ】
2018176653.tif 000018
【図２Ｇ】
2018176653.tif 000019
【図３Ａ】
2018176653.tif 000020
【図３Ｂ】
2018176653.tif 000021
【図３Ｃ】
2018176653.tif 000022
【図３Ｄ】
2018176653.tif 000023
【図３Ｅ】
2018176653.tif 000024
【図３Ｆ】
2018176653.tif 000025
【図３Ｇ】
2018176653.tif 000026
【図４Ａ】
2018176653.tif 000027
【図４Ｂ】
2018176653.tif 000028
【図４Ｃ】
2018176653.tif 000029
【図４Ｄ】
2018176653.tif 000030
【図４Ｅ】
2018176653.tif 000031
【図４Ｆ】
2018176653.tif 000032
【図４Ｇ】
2018176653.tif 000033
【図５Ａ】
2018176653.tif 000034
【図５Ｂ】
2018176653.tif 000035
【図５Ｃ】
2018176653.tif 000036
【図５Ｄ】
2018176653.tif 000037
【図５Ｅ】
2018176653.tif 000038
【図５Ｆ】
2018176653.tif 000039
【図５Ｇ】
2018176653.tif 000040
【図６Ａ】
2018176653.tif 000041
【図６Ｂ】
2018176653.tif 000042
【図６Ｃ】
2018176653.tif 000043
【図６Ｄ】
2018176653.tif 000044
【図６Ｅ】
2018176653.tif 000045
【図６Ｆ】
2018176653.tif 000046
【図６Ｇ】
2018176653.tif 000047
【図７Ａ】
2018176653.tif 000048
【図７Ｂ】
2018176653.tif 000049
【図７Ｃ】
2018176653.tif 000050
【図７Ｄ】
2018176653.tif 000051
【図７Ｅ】
2018176653.tif 000052
【図７Ｆ】
2018176653.tif 000053
【図７Ｇ】
2018176653.tif 000054
【図８Ａ】
2018176653.tif 000055
【図８Ｂ】
2018176653.tif 000056
【図８Ｃ】
2018176653.tif 000057
【図８Ｄ】
2018176653.tif 000058
【図８Ｅ】
2018176653.tif 000059
【図８Ｆ】
2018176653.tif 000060
【図８Ｇ】
2018176653.tif 000061
【図９Ａ】
2018176653.tif 000062
【図９Ｂ】
2018176653.tif 000063
【図９Ｃ】
2018176653.tif 000064
【図９Ｄ】
2018176653.tif 000065
【図９Ｅ】
2018176653.tif 000066
【図９Ｆ】
2018176653.tif 000067
【図９Ｇ】
2018176653.tif 000068
【図１０Ａ】
2018176653.tif 000069
【図１０Ｂ】
2018176653.tif 000070
【図１０Ｃ】
2018176653.tif 000071
【図１０Ｄ】
2018176653.tif 000072
【図１０Ｅ】
2018176653.tif 000073
【図１０Ｆ】
2018176653.tif 000074
【図１０Ｇ】
2018176653.tif 000075
【図１１Ａ】
2018176653.tif 000076
【図１１Ｂ】
2018176653.tif 000077
【図１１Ｃ】
2018176653.tif 000078
【図１１Ｄ】
2018176653.tif 000079
【図１１Ｅ】
2018176653.tif 000080
【図１１Ｆ】
2018176653.tif 000081
【図１１Ｇ】
2018176653.tif 000082
【図１２Ａ】
2018176653.tif 000083
【図１２Ｂ】
2018176653.tif 000084
【図１２Ｃ】
2018176653.tif 000085
【図１２Ｄ】
2018176653.tif 000086
【図１２Ｅ】
2018176653.tif 000087
【図１２Ｆ】
2018176653.tif 000088
【図１２Ｇ】
2018176653.tif 000089
【図１３Ａ】
2018176653.tif 000090
【図１３Ｂ】
2018176653.tif 000091
【図１３Ｃ】
2018176653.tif 000092
【図１３Ｄ】
2018176653.tif 000093
【図１３Ｅ】
2018176653.tif 000094
【図１３Ｆ】
2018176653.tif 000095
【図１３Ｇ】
2018176653.tif 000096
【図１４Ａ】
2018176653.tif 000097
【図１４Ｂ】
2018176653.tif 000098
【図１４Ｃ】
2018176653.tif 000099
【図１４Ｄ】
2018176653.tif 000100
【図１４Ｅ】
2018176653.tif 000101
【図１４Ｆ】
2018176653.tif 000102
【図１４Ｇ】
2018176653.tif 000103
【図１５Ａ】
2018176653.tif 000104
【図１５Ｂ】
2018176653.tif 000105
【図１５Ｃ】
2018176653.tif 000106
【図１５Ｄ】
2018176653.tif 000107
【図１５Ｅ】
2018176653.tif 000108
【図１５Ｆ】
2018176653.tif 000109
【図１５Ｇ】
2018176653.tif 000110
【図１６Ａ】
2018176653.tif 000111
【図１６Ｂ】
2018176653.tif 000112
【図１６Ｃ】
2018176653.tif 000113
【図１６Ｄ】
2018176653.tif 000114
【図１６Ｅ】
2018176653.tif 000115
【図１６Ｆ】
2018176653.tif 000116
【図１６Ｇ】
2018176653.tif 000117
【図１７Ａ】
2018176653.tif 000118
【図１７Ｂ】
2018176653.tif 000119
【図１７Ｃ】
2018176653.tif 000120
【図１７Ｄ】
2018176653.tif 000121
【図１７Ｅ】
2018176653.tif 000122
【図１７Ｆ】
2018176653.tif 000123
【図１７Ｇ】
2018176653.tif 000124
【図１８Ａ】
2018176653.tif 000125
【図１８Ｂ】
2018176653.tif 000126
【図１８Ｃ】
2018176653.tif 000127
【図１８Ｄ】
2018176653.tif 000128
【図１８Ｅ】
2018176653.tif 000129
【図１８Ｆ】
2018176653.tif 000130
【図１８Ｇ】
2018176653.tif 000131
【図１９Ａ】
2018176653.tif 000132
【図１９Ｂ】
2018176653.tif 000133
【図１９Ｃ】
2018176653.tif 000134
【図１９Ｄ】
2018176653.tif 000135
【図１９Ｅ】
2018176653.tif 000136
【図１９Ｆ】
2018176653.tif 000137
【図１９Ｇ】
2018176653.tif 000138
【図２０Ａ】
2018176653.tif 000139
【図２０Ｂ】
2018176653.tif 000140
【図２０Ｃ】
2018176653.tif 000141
【図２０Ｄ】
2018176653.tif 000142
【図２０Ｅ】
2018176653.tif 000143
【図２０Ｆ】
2018176653.tif 000144
【図２０Ｇ】
2018176653.tif 000145
【図２１Ａ】
2018176653.tif 000146
【図２１Ｂ】
2018176653.tif 000147
【図２１Ｃ】
2018176653.tif 000148
【図２１Ｄ】
2018176653.tif 000149
【図２１Ｅ】
2018176653.tif 000150
【図２１Ｆ】
2018176653.tif 000151
【図２１Ｇ】
2018176653.tif 000152
【図２２Ａ】
2018176653.tif 000153
【図２２Ｂ】
2018176653.tif 000154
【図２２Ｃ】
2018176653.tif 000155
【図２２Ｄ】
2018176653.tif 000156
【図２２Ｅ】
2018176653.tif 000157
【図２２Ｆ】
2018176653.tif 000158
【図２２Ｇ】
2018176653.tif 000159
【図２３Ａ】
2018176653.tif 000160
【図２３Ｂ】
2018176653.tif 000161
【図２３Ｃ】
2018176653.tif 000162
【図２３Ｄ】
2018176653.tif 000163
【図２３Ｅ】
2018176653.tif 000164
【図２３Ｆ】
2018176653.tif 000165
【図２３Ｇ】
2018176653.tif 000166
【図２４Ａ】
2018176653.tif 000167
【図２４Ｂ】
2018176653.tif 000168
【図２４Ｃ】
2018176653.tif 000169
【図２４Ｄ】
2018176653.tif 000170
【図２４Ｅ】
2018176653.tif 000171
【図２４Ｆ】
2018176653.tif 000172
【図２４Ｇ】
2018176653.tif 000173
【図２５Ａ】
2018176653.tif 000174
【図２５Ｂ】
2018176653.tif 000175
【図２５Ｃ】
2018176653.tif 000176
【図２５Ｄ】
2018176653.tif 000177
【図２５Ｅ】
2018176653.tif 000178
【図２５Ｆ】
2018176653.tif 000179
【図２５Ｇ】
2018176653.tif 000180
【図２６Ａ】
2018176653.tif 000181
【図２６Ｂ】
2018176653.tif 000182
【図２６Ｃ】
2018176653.tif 000183
【図２６Ｄ】
2018176653.tif 000184
【図２６Ｅ】
2018176653.tif 000185
【図２６Ｆ】
2018176653.tif 000186
【図２６Ｇ】
2018176653.tif 000187
【図２７Ａ】
2018176653.tif 000188
【図２７Ｂ】
2018176653.tif 000189
【図２７Ｃ】
2018176653.tif 000190
【図２７Ｄ】
2018176653.tif 000191
【図２７Ｅ】
2018176653.tif 000192
【図２７Ｆ】
2018176653.tif 000193
【図２７Ｇ】
2018176653.tif 000194
【図２８Ａ】
2018176653.tif 000195
【図２８Ｂ】
2018176653.tif 000196
【図２８Ｃ】
2018176653.tif 000197
【図２８Ｄ】
2018176653.tif 000198
【図２８Ｅ】
2018176653.tif 000199
【図２８Ｆ】
2018176653.tif 000200
【図２８Ｇ】
2018176653.tif 000201
【図２９Ａ】
2018176653.tif 000202
【図２９Ｂ】
2018176653.tif 000203
【図２９Ｃ】
2018176653.tif 000204
【図２９Ｄ】
2018176653.tif 000205
【図２９Ｅ】
2018176653.tif 000206
【図２９Ｆ】
2018176653.tif 000207
【図２９Ｇ】
2018176653.tif 000208